(57)【要約】【課題】  チャネルの混雑時または閑散時にコンテンション・ウインドウの初期値を適宜設定することにより、スループットを向上させる。【解決手段】  ＣＳＭＡ−ＣＡによる再送処理を行う第１の手段と、ＡＲＦによる伝送レート制御を行う第２の手段と、送信失敗数が第３の規定値（Ｎfth2）に到達したときにコンテンション・ウインドウの初期値を拡大し、送信成功数が第４の規定値（Ｎsth2）に到達したときにコンテンション・ウインドウの初期値を縮小する第３の手段とを備えた無線通信装置において、タイマーが所定時間の計測を終了したときに第４の規定値（Ｎsth2）を減少させる第４の手段と、第３の手段でコンテンション・ウインドウの初期値を縮小した後の初送信で送信失敗したときに、第４の規定値（Ｎsth2）を増加させる第５の手段とを備える。【選択図】        図１
2010056655.tif 000002
【特許請求の範囲】
【請求項１】
通信に使用するチャネルでキャリアセンスを行い、当該チャネルがアイドルのときに、コンテンション・ウインドウの範囲からランダムなバックオフ・タイムを発生させ、そのバックオフ・タイムの期間だけ待機した後にパケット送信を行い、パケット送信後に受信応答であるＡＣＫ信号を受信したときに送信成功数をカウントするとともにコンテンション・ウインドウを初期値にリセットし、ＡＣＫ信号を所定時間内に受信しないときに送信失敗数をカウントするとともにコンテンション・ウインドウを拡大しながら再送処理を行う第１の手段と、
前記送信失敗数が第１の規定値（Ｎfth1）に到達したときに伝送レートを下げるとともに所定時間を計測するタイマーを開始し、前記送信成功数が第２の規定値（Ｎsth1）に到達したときまたはタイマーが所定時間の計測を終了したときに伝送レートを上げてタンマーをリセットする第２の手段と、
前記送信失敗数が第３の規定値（Ｎfth2）に到達したときに前記コンテンション・ウインドウの初期値を拡大し、前記送信成功数が第４の規定値（Ｎsth2）に到達したときに前記コンテンション・ウインドウの初期値を縮小する第３の手段と
を備えた無線通信装置において、
前記タイマーが所定時間の計測を終了したときに前記第４の規定値（Ｎsth2）を減少させる第４の手段と、
前記第３の手段で前記コンテンション・ウインドウの初期値を縮小した後の初送信で送信失敗したときに、前記第４の規定値（Ｎsth2）を増加させる第５の手段と
を備えたことを特徴とする無線通信装置。
【請求項２】
請求項１に記載の無線通信装置において、
前記第３の手段は、前記コンテンション・ウインドウの初期値ＣＷinitをＣＷmax を上限としてＣＷinit＊Ｎに拡大し（Ｎは整数）、前記コンテンション・ウインドウの初期値ＣＷinitをＣＷmin を下限としてＣＷinit／Ｎに縮小する構成である
ことを特徴とする無線通信装置。
【請求項３】
通信制御手段を用いて、通信に使用するチャネルでキャリアセンスを行い、当該チャネルがアイドルのときに、コンテンション・ウインドウの範囲からランダムなバックオフ・タイムを発生させ、そのバックオフ・タイムの期間だけ待機した後にパケット送信を行い、パケット送信後に受信応答であるＡＣＫ信号を受信したときに送信成功数をカウントするとともにコンテンション・ウインドウを初期値にリセットし、ＡＣＫ信号を所定時間内に受信しないときに送信失敗数をカウントするとともにコンテンション・ウインドウを拡大しながら再送処理を行う第１のステップと、
前記送信失敗数が第１の規定値（Ｎfth1）に到達したときに伝送レートを下げるとともに所定時間を計測するタイマーを開始し、前記送信成功数が第２の規定値（Ｎsth1）に到達したときまたはタイマーが所定時間の計測を終了したときに伝送レートを上げてタンマーをリセットする第２のステップと、
前記送信失敗数が第３の規定値（Ｎfth2）に到達したときに前記コンテンション・ウインドウの初期値を拡大し、前記送信成功数が第４の規定値（Ｎsth2）に到達したときに前記コンテンション・ウインドウの初期値を縮小する第３のステップと
を有する無線通信方法において、
前記タイマーが所定時間の計測を終了したときに前記第４の規定値（Ｎsth2）を減少させる第４のステップと、
前記第３のステップで前記コンテンション・ウインドウの初期値を縮小した後の初送信で送信失敗したときに、前記第４の規定値（Ｎsth2）を増加させる第５のステップと
を有することを特徴とする無線通信方法。
【請求項４】
請求項３に記載の無線通信方法において、
前記第３のステップは、前記コンテンション・ウインドウの初期値ＣＷinitをＣＷmax を上限としてＣＷinit＊Ｎに拡大し（Ｎは整数）、前記コンテンション・ウインドウの初期値ＣＷinitをＣＷmin を下限としてＣＷinit／Ｎに縮小する
ことを特徴とする無線通信方法。
【発明の詳細な説明】
【技術分野】
【０００１】
本発明は、無線ＬＡＮ（Local Area Network）やＰＡＮ（Personal Area Network ）のように複数の無線局間で相互に通信を行う無線ネットワークにおいて、特にＣＳＭＡ／ＣＡ（Carrier Sense Multiple Access with Collision Avoidance）によるキャリア検出に基づいてランダムアクセス制御を行う無線通信装置および無線通信方法に関する。
【背景技術】
【０００２】
無線ネットワークの標準規格として、IEEE802.11（非特許文献１）やIEEE802.15などがある。
【０００３】
ここで、ＣＳＭＡ（Carrier Sense Multiple Access ）とは、送信を開始する際にキャリアセンスを行うことにより多重アクセスに対応する接続方式である。有線通信では、多重アクセス方式としてＣＳＭＡ／ＣＤ（Carrier Sense Multiple Access with Collision Detection）があり、送信を開始する前にチャネルのキャリアセンスを行い、チャネルがアイドルのときに送信を開始し、それでも信号の衝突を検出した場合にはバックオフアルゴリズムで算出されるランダム時間後にデータ再送を行う。しかし、無線通信では、送信電力と受信電力の差が大きく、衝突を検出することが困難であることから、ＣＳＭＡ／ＣＡによって衝突を回避する方式が採用されている。
【０００４】
図４は、ＣＳＭＡ／ＣＡが適用される無線通信システムの構成例を示す。図において、無線通信システムは、通信エリア内の複数の無線局５１，５２，５３が相互に無線通信を行う構成である。各無線局は、アンテナ５４、送受信部５５および制御部５６により構成され、各無線局の制御部５６は通信を開始する際にＣＳＭＡ／ＣＡによるアクセス制御を行う。
【０００５】
（従来技術１）
ＣＳＭＡ／ＣＡは、送信を開始する前にチャネルのキャリアセンスを行い、チャネルがアイドルのときに、コンテンション・ウインドウ（ＣＷ）の範囲からランダムなバックオフ・タイムを発生させ、そのバックオフ・タイムの期間だけ待機した後にパケットを送信する。複数の無線局のバックオフ・タイムがランダムになることから衝突が回避される確率が高いが、所定時間内にＡＣＫ信号を受信しない場合には送信失敗と判断してコンテンション・ウインドウを拡大し、バックオフ・タイムをランダムに発生させる範囲を広げて再送処理を行う。
【０００６】
すなわち、図５に示すように再送回数が増えるごとにチャネルが混雑していると判断し、コンテンション・ウインドウを拡大して衝突回避のためのバックオフ・タイムの発生範囲を広げる（２進指数バックオフ）。図４に示すＣＷmin はコンテンション・ウインドウの初期値を示し、ＣＷmax はコンテンション・ウインドウの上限値を示す。ここでは、再送３回目のときにコンテンション・ウインドウが上限値ＣＷmax に達し、再送３回目で送信成功するか送信失敗によってパケットが廃棄されると、後続パケットを送信する際にコンテンション・ウインドウが初期値ＣＷmin にリセットされる様子を示す。
【０００７】
このように再送が繰り返されるチャネル混雑時の状況でも、送信成功やパケット廃棄後に後続パケットを送信する際には、コンテンション・ウインドウが初期値ＣＷmin にリセットされるので、後続パケットの衝突が生じやすくなり、再送処理が繰り返されてスループットが低下（遅延時間が増加）する。
【０００８】
（従来技術２）
従来技術１におけるチャネル混雑時のスループットを改善する方法として非特許文献２の技術がある。
【０００９】
すなわち、後述するＡＲＦ(Automatic Rate Fallback) を利用して送信成功数および送信失敗数をカウントし、図６に示すように、送信失敗数が規定値Ｎfth に到達するとコンテンション・ウインドウの初期値ＣＷinitを拡大し（ＣＷinit＝min[ＣＷinit＊Ｎ，ＣＷmax]、Ｎは整数）、送信成功数が規定値Ｎsth に到達するとコンテンション・ウインドウの初期値ＣＷinitを縮小する（ＣＷinit＝max[ＣＷinit／Ｎ，ＣＷmin]）。
【００１０】
このように、送信失敗の一因がチャネル混雑によるパケット衝突のため、送信失敗数を評価することでチャネル混雑を検出し、コンテンション・ウインドウの初期値を拡大することでチャネル混雑中の衝突確率を低減し、結果してスループットを向上させている。また、送信成功数が規定値Ｎsth に到達するまで、拡大したコンテンション・ウインドウの初期値ＣＷinitを維持するようになっている。
【００１１】
（従来技術３）
また、IEEE802.11標準規格では、複数の送信レートが規定されており、無線品質の状況に応じて送信レートを変更する（非特許文献３）。送信レートを制御するアルゴリズムとしてＡＲＦがある。ＡＲＦでは、送信成功数と送信失敗数をカウントする。送信失敗数が規定値（例えば２回）に到達すると伝送レートを１段階下げ、所定時間を計測するタイマーを開始する。このタイマーが所定時間の計測を終了するか、または送信成功数が規定値（例えば10回）に到達するか、いずれか早い方のタイミングで伝送レートを１段階上げ、タイマーをリセットする。また、伝送レートを１段階上げた後の１フレーム目が送信失敗になった場合には、すぐに伝送レートを１段階下げる。
【非特許文献１】IEEE802.11,"Wireless LAN Medium Access Control (MAC) and Physical (PHY) Layer Specifications", June 2007
【非特許文献２】小川、永田、岸田、梅内、井上、「送信成否履歴に基づく分散型送信制御」、電子情報通信学会2008年総合大会、2008年３月
【非特許文献３】A.Kamerman and L.Monteban, "WaveLAN-II:A High-Performance Wireless LAN for the Unlocrnsed Band",BellLabs Technical Journal, vol.2, no.3, pp.118-133, Aug.1997
【発明の開示】
【発明が解決しようとする課題】
【００１２】
従来技術１では、コンテンション・ウインドウの初期値をＣＷmin として固定していた。そのため、送信失敗が連続してコンテンション・ウインドウが上限値ＣＷmax まで拡大しても、さらに送信失敗によって初期値ＣＷmin にリセットされるので、後続パケットの衝突が生じやすくなりスループットが低下する。
【００１３】
これに対して、従来技術２では、コンテンション・ウインドウの初期値をＣＷinitとし、その値をＣＷmin ≦ＣＷinit≦ＣＷmax の範囲で動的に変化させている。すなわち、送信失敗数が規定値に到達するごとにコンテンション・ウインドウの初期値ＣＷinitを拡大し、送信成功数が規定値に到達するごとにコンテンション・ウインドウの初期値ＣＷinitを縮小し、チャネルの混雑状況に応じたコンテンション・ウインドウの初期値の動的制御によりスループットの改善が可能になっている。
【００１４】
ここで、従来技術２と従来技術３を組み合わせて利用する場合は、従来技術２の送信成功数の規定値Ｎsth が固定のため、タイマーが計測する所定時間であるタイマー値によってスループットおよび遅延時間が変動することになる。以下、タイマー値と遅延時間の関係について説明する。
【００１５】
遅延が増加する原因として、(a) コンテンション・ウインドウの初期値の拡大による送信開始前の待機時間の増加、(b) 送信失敗による再送時間の増加がある。(a) については、送信成功数の規定値Ｎsth が大きいとコンテンション・ウインドウの初期値が継続して大きな値をとる機会が増加し、遅延が増加する。(b) については、コンテンション・ウインドウの初期値が小さければ衝突が発生しやすくなり、遅延が増加する。逆に、コンテンション・ウインドウの初期値が大きければ衝突が発生しにくく、遅延が減少する。
【００１６】
従来技術３では、送信失敗数が規定値に到達して伝送レートを下げて開始したタイマーが終了すると伝送レートを上げる。すなわち、衝突によって低下した伝送レートを、タイマー終了によって伝送レートを上げることになる。ここで、タイマー値が小さい場合、伝送レートが頻繁に上がるので、チャネルの占有時間が短く、衝突によってチャネルが浪費される時間が短くなる。逆に、タイマー値が大きい場合、衝突によって伝送レートが低下すると、回復するまで時間がかかる。このとき送信成功数の規定値Ｎsth が固定であれば、タイマー値の大きさに応じて遅延時間が変動することになる。
【００１７】
本発明は、チャネルの混雑時または閑散時にコンテンション・ウインドウの初期値を適宜設定することにより、スループットを向上させることができる無線通信装置および無線通信方法を提供することを目的とする。
【課題を解決するための手段】
【００１８】
第１の発明は、通信に使用するチャネルでキャリアセンスを行い、当該チャネルがアイドルのときに、コンテンション・ウインドウの範囲からランダムなバックオフ・タイムを発生させ、そのバックオフ・タイムの期間だけ待機した後にパケット送信を行い、パケット送信後に受信応答であるＡＣＫ信号を受信したときに送信成功数をカウントするとともにコンテンション・ウインドウを初期値にリセットし、ＡＣＫ信号を所定時間内に受信しないときに送信失敗数をカウントするとともにコンテンション・ウインドウを拡大しながら再送処理を行う第１の手段と、送信失敗数が第１の規定値（Ｎfth1）に到達したときに伝送レートを下げるとともに所定時間を計測するタイマーを開始し、送信成功数が第２の規定値（Ｎsth1）に到達したときまたはタイマーが所定時間の計測を終了したときに伝送レートを上げてタンマーをリセットする第２の手段と、送信失敗数が第３の規定値（Ｎfth2）に到達したときにコンテンション・ウインドウの初期値を拡大し、送信成功数が第４の規定値（Ｎsth2）に到達したときにコンテンション・ウインドウの初期値を縮小する第３の手段とを備えた無線通信装置において、タイマーが所定時間の計測を終了したときに第４の規定値（Ｎsth2）を減少させる第４の手段と、第３の手段でコンテンション・ウインドウの初期値を縮小した後の初送信で送信失敗したときに、第４の規定値（Ｎsth2）を増加させる第５の手段とを備える。
【００１９】
第１の発明の無線通信装置において、第３の手段は、コンテンション・ウインドウの初期値ＣＷinitをＣＷmax を上限としてＣＷinit＊Ｎに拡大し（Ｎは整数）、コンテンション・ウインドウの初期値ＣＷinitをＣＷmin を下限としてＣＷinit／Ｎに縮小する構成である。
【００２０】
第２の発明は、通信制御手段を用いて、通信に使用するチャネルでキャリアセンスを行い、当該チャネルがアイドルのときに、コンテンション・ウインドウの範囲からランダムなバックオフ・タイムを発生させ、そのバックオフ・タイムの期間だけ待機した後にパケット送信を行い、パケット送信後に受信応答であるＡＣＫ信号を受信したときに送信成功数をカウントするとともにコンテンション・ウインドウを初期値にリセットし、ＡＣＫ信号を所定時間内に受信しないときに送信失敗数をカウントするとともにコンテンション・ウインドウを拡大しながら再送処理を行う第１のステップと、送信失敗数が第１の規定値（Ｎfth1）に到達したときに伝送レートを下げるとともに所定時間を計測するタイマーを開始し、送信成功数が第２の規定値（Ｎsth1）に到達したときまたはタイマーが所定時間の計測を終了したときに伝送レートを上げてタンマーをリセットする第２のステップと、送信失敗数が第３の規定値（Ｎfth2）に到達したときにコンテンション・ウインドウの初期値を拡大し、送信成功数が第４の規定値（Ｎsth2）に到達したときにコンテンション・ウインドウの初期値を縮小する第３のステップとを有する無線通信方法において、タイマーが所定時間の計測を終了したときに第４の規定値（Ｎsth2）を減少させる第４のステップと、第３のステップでコンテンション・ウインドウの初期値を縮小した後の初送信で送信失敗したときに、第４の規定値（Ｎsth2）を増加させる第５のステップとを有する。
【００２１】
第２の発明の無線通信方法において、第３のステップは、コンテンション・ウインドウの初期値ＣＷinitをＣＷmax を上限としてＣＷinit＊Ｎに拡大し（Ｎは整数）、コンテンション・ウインドウの初期値ＣＷinitをＣＷmin を下限としてＣＷinit／Ｎに縮小することを特徴とする。
【発明の効果】
【００２２】
本発明は、ＡＲＦの送信成功数の第２の規定値（Ｎsth1）に到達する前にタイマーが所定時間の計測を終了すると、コンテンション・ウインドウの初期値を縮小させるか否かの判断に用いる送信成功数の第４の規定値（Ｎsth2）を減少させる。また、送信成功数が第４の規定値（Ｎsth2）に到達し、コンテンション・ウインドウの初期値を縮小させた後の初送信で送信失敗したときに、送信成功数が第４の規定値（Ｎsth2）を増加させる。
【００２３】
これにより、送信成功数の第４の規定値（Ｎsth2）をタイマーが計測する所定時間（タイマー値）に応じて動的に変動させることができる。すなわち、タイマー値が小さい場合には、送信成功数の第４の規定値（Ｎsth2）を小さくすることにより、送信開始前の待機時間を短くし、遅延時間を抑えることができる。
【発明を実施するための最良の形態】
【００２４】
図１は、本発明の無線通信装置の実施形態を示す。ここでは、本発明の無線通信装置および無線通信方法が図４に示す各無線局の制御部５６で実現される例を示す。
【００２５】
図１において、制御部５６は、キャリアセンスを行い、受信パケットおよび送信パケットを送受信し、ＡＣＫ信号を送受信して再送処理を制御し、さらにマルチレート制御機能を含む送受信制御部１１と、ＡＣＫ信号を生成する受信応答生成部１２と、再送処理に対応する送信パケットをバッファリングする送信バッファ１３と、再送回数に応じてコンテンション・ウインドウを制御するコンテンション・ウインドウ制御部１４と、連続する送信成功数Ｎs および送信失敗数Ｎf をカウントする送信成功・失敗カウント部１５と、送信成功数の規定値（Ｎsth2）を制御するＮsth2制御部１６を備える。
【００２６】
図２は、本発明の無線通信装置および無線通信方法の処理手順１を示す。図３は、本発明の無線通信装置および無線通信方法の処理手順２を示す。この処理手順は、図１に示す送受信制御部１１、コンテンション・ウインドウ制御部１４、送信成功・失敗カウント部１５およびＮsth2制御部１６で実行される。
【００２７】
図２において、送受信制御部１１がパケット送信を行うと（Ｓ１）、所定時間内に受信応答であるＡＣＫ信号を受信するか否かを判断する（Ｓ２）。ここで、ＡＣＫ信号を受信すると、コンテンション・ウインドウ制御部１４に通知し、次の送信処理におけるコンテンション・ウインドウを初期値ＣＷinitにリセットする（Ｓ３）。また、送信成功・失敗カウント部１５に通知して送信失敗数Ｎf1，Ｎf2を０にリセットし、送信成功数Ｎs1，Ｎs2をインクリメントする（Ｓ４）。なお、送信失敗数Ｎf1，Ｎf2は、ＡＲＦを利用して同じタイミングでカウントされるが、それぞれのリセットタイミングが異なるために分けて表記している。送信成功数Ｎs1，Ｎs2についても同様である。
【００２８】
次に、送信成功数Ｎs1が送信成功数の規定値Ｎsth1（規定値２）に到達したか否かを判定し（Ｓ５）、到達していればＡＲＦのタイマーをリセットし（Ｓ６）、伝送レートをアップして送信成功数Ｎs1を０にリセットする（Ｓ７）。また、送信成功数Ｎs1が規定値Ｎsth1に到達していなければ、ステップＳ６，Ｓ７を飛ばしてステップＳ８に進む。
【００２９】
次に、送信成功数Ｎs2が送信成功数の規定値Ｎsth2（規定値４）に到達したか否かを判定し（Ｓ８）、到達していればコンテンション・ウインドウの初期値ＣＷinitをＣＷinit／Ｎに縮小するとともに送信成功数Ｎs2を０にリセットし（Ｓ９）、後続パケットの送信処理に戻る。また、送信成功数Ｎs2が規定値Ｎsth2に到達していなければ、コンテンション・ウインドウの初期値ＣＷinitを維持したまま後続パケットの送信処理に戻る。
【００３０】
一方、所定時間内にＡＣＫ信号を受信しない場合には、送受信制御部１１からコンテンション・ウインドウ制御部１４に通知し、ＣＳＭＡ／ＣＡの２進指数バックオフアルゴリズムに基づいてコンテンション・ウインドウを上限値ＣＷmax になるまで順次拡大する（Ｓ10）。また、送信成功・失敗カウント部１５に通知して送信成功数Ｎs1，Ｎs2を０にリセットし、送信失敗数Ｎf1，Ｎf2をインクリメントする（Ｓ11）。次に、パケット送信失敗がステップＳ９のコンテンション・ウインドウの初期値ＣＷinitを縮小した後の初送信であるか否かを判定し（Ｓ12）、初送信であれば送信成功数の規定値Ｎsth2（規定値４）を増大する（Ｓ13）。ここでは、送信成功数の規定値Ｎsth2（規定値４）を１増加する例を示すが、２以上であってもよい。また、初送信でなければ、ステップＳ13を飛ばしてステップＳ14に進む。
【００３１】
次に、パケット送信失敗がステップＳ７の伝送レートアップ後の初送信であるか否かを判定し（Ｓ14）、初送信であればＡＲＦのタイマーを開始し（Ｓ16）、伝送レートをダウンして送信失敗数Ｎf1を０にリセットする（Ｓ17）。この処理は、通常のＡＲＦの機能である。一方、初送信でなければ、送信失敗数Ｎf1が送信失敗数の規定値Ｎft1(規定値１）に到達したか否かを判定し（Ｓ15）、到達していればＡＲＦのタイマーを開始し（Ｓ16）、伝送レートをダウンして送信失敗数Ｎf1を０にリセットする（Ｓ17）。また、送信失敗数Ｎf1が規定値Ｎfth1に到達していなければ、ステップＳ16，Ｓ17を飛ばしてステップＳ18に進む。
【００３２】
次に、送信失敗数Ｎf2が送信失敗数の規定値Ｎft2(規定値３）に到達したか否かを判定し（Ｓ18）、到達していればコンテンション・ウインドウの初期値ＣＷinitをＣＷinit＊Ｎに拡大するとともに送信失敗数Ｎf2を０にリセットし（Ｓ19）、後続パケットの送信処理に戻る。また、送信失敗数Ｎf2が規定値Ｎfth2に到達していなければ、後続パケットの送信処理に戻る。
【００３３】
次に、ステップＳ16のタイマー開始後の処理手順２について、図３を参照して説明する。図２のステップＳ６でタイマーがリセットされることなくタイマー終了となった場合（Ｓ21）、伝送レートをアップして送信成功数Ｎs1を０にリセットする（Ｓ22）。次に、送信成功数の規定値Ｎsth2（規定値４）を減少し（Ｓ23）、後続パケットの送信処理に戻る。ここでは、送信成功数の規定値Ｎsth2（規定値４）を１減少する例を示すが、２以上であってもよい。
【００３４】
ここで、本発明の特徴とする処理は、図２のステップＳ12，Ｓ13，図３のステップＳ23であり、ここで増減した送信成功数の規定値Ｎsth2（規定値４）は、図２のステップＳ９でコンテンション・ウインドウの初期値ＣＷinitを減少させるか否かの判定（Ｓ８）に用いられる。
【００３５】
タイマー値が小さい場合は、送信成功数の規定値Ｎsth2（規定値４）を小さくすることにより、送信開始前の待機時間を短くすることができる。すなわち、上述した(b) のパケット再送による遅延を犠牲にして、(a) の送信開始前の待機時間を短くして遅延を小さくしている。一方、タイマー値が大きい場合には、送信成功数の規定値Ｎsth2（規定値４）を大きくすることにより衝突を回避し、パケット再送による遅延の増加を緩和する。すなわち、上述した(a) の送信開始前の待機時間による遅延を犠牲にして、(b) のパケット再送による遅延を小さくしている。
【図面の簡単な説明】
【００３６】
【図１】本発明の無線通信装置の実施形態を示す図。
【図２】本発明の無線通信装置および無線通信方法の処理手順１を示すフローチャート。
【図３】本発明の無線通信装置および無線通信方法の処理手順２を示すフローチャート。
【図４】ＣＳＭＡ／ＣＡが適用される無線通信システムの構成例を示す図。
【図５】従来技術１のコンテンション・ウインドウの拡大・リセット例を示す図。
【図６】従来技術２のコンテンション・ウインドウの初期値の動的変更例を示す図。
【符号の説明】
【００３７】
１１  送受信制御部
１２  受信応答生成部
１３  送信バッファ
１４  コンテンション・ウインドウ制御部
１５  送信成功・失敗カウント部
１６  Ｎsth2制御部
５１，５２，５３  無線局
５４  アンテナ
５５  送受信部
５６  制御部
【図１】
2010056655.tif 000003
【図２】
2010056655.tif 000004
【図３】
2010056655.tif 000005
【図４】
2010056655.tif 000006
【図５】
2010056655.tif 000007
【図６】
2010056655.tif 000008